(57)【要約】【課題】使用中に使用者の意図とは関係なくディスプレイアームと頭部に当接する当接部の前後方向相対位置がずれることを防ぐことができるヘッドマウントディスプレイを提供する。【解決手段】一つのヘッドホーンハウジング１にはディスプレイアーム支持部３が設けられ、ディスプレイアーム支持部３にディスプレイアーム４が装着時の前後方向にスライド可能に保持されている。ディスプレイアーム支持部３には、ロックボタン６が上下に設けられており、ロックボタン６を上下から押し込むことによりディスプレイアーム支持部３とディスプレイアーム４とのロックが外れ、ディスプレイアーム４がディスプレイアーム支持部３に対して前後方向に移動可能となる。ロックボタン６が押し込まれていないときは、ディスプレイアーム支持部３とディスプレイアーム４がロック機構６によりロックされてディスプレイアーム４がディスプレイアーム支持部３に対して移動できない。【選択図】  図１
2007251510.tif 000002
【特許請求の範囲】
【請求項１】
使用者の頭部の互いに異なる位置に当接する２つの当接部と、前記２つの当接部を連結する連結部と、使用者の眼に映像を表示する表示部と、前記表示部を保持し、前記当接部の外界側にある外装部に保持されたディスプレイアームとを有し、前記ディスプレイアームは、前記ヘッドホーンハウジングに対して、装着時の前後方向への移動が可能なように取り付けられており、かつ、当該移動を抑止する移動抑止機構が設けられていることを特徴とするヘッドマウントディスプレイ。
【請求項２】
使用者の頭部の互いに異なる位置に当接する２つの当接部と、前記２つの当接部を連結する連結部と、使用者の眼に映像を表示する表示部と、前記表示部を保持し、前記当接部の外界側にある外装部に保持されたディスプレイアームとを有し、前記ディスプレイアームは、前記ヘッドホーンハウジングに対して、装着時の前後方向への移動が可能なように取り付けられており、かつ、前記前後方向への移動が、前記表示部を保持したディスプレイアームの自重により生ずる力よりも大きな力が作用したときに可能となるように、接触抵抗により制限されていることを特徴とするヘッドマウントディスプレイ。
【請求項３】
請求項１に記載のヘッドマウントディスプレイであって、前記移動抑止機構は、前記前後方向について前記当接部とは相対移動不能に設けられた固定部材と、前記ディスプレイアームに設けられ、前記固定部材の一部と接触可能とする接触部を有し、前記接触部は、前記ディスプレイアームに設けられ、前記接触部に連動するプッシュ式ボタンの押圧時に、前記ディスプレイアームから離されることを特徴とするヘッドマウントディスプレイ。
【請求項４】
請求項３に記載のヘッドマウントディスプレイであって、前記プッシュ式ボタンは、前記プッシュ式ボタンの押圧時に、前記ディスプレイアームの移動と共に移動可能であることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
従来の片眼用ヘッドマウントディスプレイは、頭部に当接するスピーカー部とそのスピーカー部を収容する２つのヘッドホーンハウジングを連結部で連結すると共に、このヘッドホーンハウジングの一方にディスプレイアームを取り付け、ディスプレイアームの先端部に表示部を設けていた。このような片眼タイプのヘッドマウントディスプレイにおいては、表示部と眼との間の間隔を調整するために、ディスプレイアームをヘッドホーンハウジングに対して、装着時の前後方向に移動可能なようにされているのが普通である。
【０００５】
しかしながら、ディスプレイアームがヘッドホーンハウジングに対して前後方向に移動可能であると、ヘッドマウントディスプレイの使用中に、使用者の意図とは関係なくディスプレイアームが移動し、表示部と眼との間隔が変化するという問題点があった。
【０００６】
本発明はこのような事情に鑑みたもので、使用中にディスプレイアームと使用者の頭部に当接する当接部の前後方向相対位置が使用者の意図とは関係なくずれてしまうことを防ぐことが可能なヘッドマウントディスプレイを提供することを課題とする。
【課題を解決するための手段】
【０００７】
前記課題を達成するための第１の手段は、使用者の頭部の互いに異なる位置に当接する２つの当接部と、前記２つの当接部を連結し、前記当接部の外界側にある外装部に保持された連結部と、使用者の眼に映像を表示する表示部と、前記表示部を保持するディスプレイアームとを有し、前記ディスプレイアームは、前記ヘッドホーンハウジングに対して、装着時の前後方向への移動が可能なように取り付けられており、かつ、当該移動を抑止する移動抑止機構が設けられていることを特徴とするヘッドマウントディスプレイである。
【０００８】
本手段においては、ディスプレイアームの前後方向への移動を抑止する回動抑止機構が設けられているので、調整が終わった後で、この回動抑止機構を働かせれば、ヘッドホーンハウジングとディスプレイアーム、表示部との位置関係を固定することができ、使用中にこれらの位置関係がずれることを防止できる。
【０００９】
前記課題を解決するための第２の手段は、使用者の頭部の互いに異なる位置に当接する２つの当接部と、前記２つの当接部を連結する連結部と、使用者の眼に映像を表示する表示部と、前記表示部を保持し、前記当接部の外界側にある外装部に保持されたディスプレイアームとを有し、前記ディスプレイアームは、前記ヘッドホーンハウジングに対して、装着時の前後方向への移動が可能なように取り付けられており、かつ、前記前後方向への移動が、前記表示部を保持したディスプレイアームの自重により生ずる力よりも大きな力が作用したときに可能となるように、接触抵抗により制限されていることを特徴とするヘッドマウントディスプレイである。
【００１０】
本手段も基本的な作用は前記第１の手段と同じであるが、移動抑止機構を持たず、その代わりに、ディスプレイアームの回動が、接触抵抗により制限するようにしている。則ち、接触抵抗により、ある程度の力を加えなければ回動が起こらないようにしておけば、使用中に、ヘッドホーンハウジングとディスプレイアーム、表示部との位置関係をずれにくくすることができる。
【００１１】
前記課題を解決するための第３の手段は、前記第１の手段であって、前記移動抑止機構は、前記前後方向について前記当接部とは相対移動不能に設けられた固定部材と、前記ディスプレイアームに設けられ、前記固定部材の一部と接触可能とする接触部を有し、前記接触部は、前記ディスプレイアームに設けられ、前記接触部に連動するプッシュ式ボタンの押圧時に、前記ディスプレイアームから離されることを特徴とするものである。
【００１２】
本手段においては、移動抑止機構が、前後方向について当接部とは相対的移動不能に設けられた固定部剤と、前記ディスプレイアームに設けられた、ディスプレイアームの一部と接触可能とする接触部を有し、接触部が、ディスプレイアームに設けられ、接触部に連動するプッシュ式ボタンの押圧時に、ディスプレイアームから離されるようにしている。
【００１３】
これにより、使用者が直接目視せずとも、単純な指先操作のみで、移動抑止機構を解除することができる。又、さらに、ボタン操作無しには、ディスプレイアームが移動しないので、ディスプレイアームが不用意に移動することを防止することができる。
【００１４】
前記課題を解決するための第４の手段は、前記第３の手段であって、前記プッシュ式ボタンは、前記プッシュ式ボタンの押圧時に、前記ディスプレイアームの移動と共に移動可能であることを特徴とするものである。
【００１５】
本手段においては、プッシュ式ボタンが、プッシュ式ボタンの押圧時に、ディスプレイアームの移動と共に移動可能であるので、片手で移動抑止機構の解除とディスプレイアームの移動が可能となり、操作の利便性が向上する。
【００１６】
なお、本発明の当接部は、装着時に使用者の頭部と接触する部分である。例えば、ヘッドホーンタイプの装着部を採用しているのであれば、使用者の耳と接触するスピーカー部である。又、この場合、当接部の外界側に位置する外装部は、スピーカー部を収容するヘッドホーンハウジングとなる。なお、当接部が３箇所以上あるヘッドマウントディスプレイもあるが、本発明はこのようなものをも含むものである。
【発明の効果】
【００１７】
本発明によれば、使用中にディスプレイアームと使用者の頭部に当接する当接部の前後方向相対位置が使用者の意図とは関係なくずれてしまうことを防ぐことが可能なヘッドマウントディスプレイを提供することができる。
【発明を実施するための最良の形態】
【００１８】
以下、本発明の実施の形態の例を、図を用いて説明する。図１は、本発明の実施の形態の１例であるヘッドマウントディスプレイを装着した状態を示す図である。２つのヘッドホーンハウジング１は、連結部２により連結されている。そして、一つのヘッドホーンハウジング１には、ディスプレイアーム支持部３が設けられ、ディスプレイアーム支持部３にディスプレイアーム４が装着時の前後方向にスライド可能に保持されている。ディスプレイアーム４の先端部は、使用者の顔面にほぼ沿うように曲げられており、その先端部に、映像を使用者の眼に表示する表示部５が設けられている。
【００１９】
ディスプレイアーム４には、ディスプレイアーム４の移動をロックするロックボタン６が上下に設けられており、このロックボタン６は、ディスプレイアーム４に上下方向に貫通した貫通穴に挿入されている。ロックボタン６を上下から押し込むことによりディスプレイアーム支持部３とディスプレイアーム４とのロックが外れ、ディスプレイアーム４がディスプレイアーム支持部３に対して、装着時における使用者の前後方向に移動可能となる。ロックボタン６が押し込まれていないときは、ディスプレイアーム支持部３とディスプレイアーム４がロック機構６によりロックされてディスプレイアーム４がディスプレイアーム支持部３に対して移動できないようになっている。
【００２０】
図２は、ヘッドホーンハウジング１とディスプレイアーム支持部３とディスプレイアーム４との相対関係を示す断面図である。又、図３は、ディスプレイアーム支持部３の拡大斜視図である。ディスプレイアーム支持部３の取付部３ａがナットによりヘッドホーンハウジング１に取り付けられており、取付部３ａの凸部３ｂにディスプレイアーム４の凹部が嵌り込んで、ディスプレイアーム支持部３とディスプレイアーム４とが相対的に摺動するようになっている。ディスプレイアーム４には、その一部の上下に貫通孔４ａが設けられると共に貫通孔４ａは、ロック機構６の部品の形状に合った孔形状を有している。
【００２１】
そして、この貫通穴にロック機構６が上下から嵌り込んでおり、２つのロック機構６はスプリング７により、互いが離れるように付勢されている。ロック機構６とディスプレイアーム４の貫通孔との間には僅かに隙間があるが、接触部４ｃにおいて、ロック機構６が貫通穴に接触している。
【００２２】
ロック機構６が上下から押し込まれていないときは、ディスプレイアーム支持部３の斜面部３ｃとロック機構６の斜面部４ｂとが接触し、ロック機構６が接触部４ｃにより斜面部３ｃとの面をスプリング７の付勢力により押圧される。これにより、ディスプレイアーム支持部３とロック機構６との間に摩擦力が働く。一方、ロック機構６とディスプレイアーム４は、ディスプレイアーム４の移動方向に自由度を有していない。このため、ディスプレイアーム４はディスプレイアーム支持部３に対して摺動することができなくなる。
【００２３】
ロック機構６を上下から押し込むと、ディスプレイアーム支持部３の斜面部３ｃとロック機構６の斜面部４ｂとの接触が離れ、両者の間に隙間ができる。よって、これらの間に摩擦力が働かなくなる。よって、ディスプレイアーム４は、図３に示すディスプレイアーム支持部３の凸部３ｂの延設方向にディスプレイアーム支持部３に対して摺動することが可能となる。なお、図において、１ａはヘッドホーンドライバ、８は１ａに至る配線である。
【００２４】
なお、ロック機構６は、人間の視界に入らない、頭部側方に設けろことが視野を妨げないので好ましい。また、ロック機構６はプッシュボタンとなっており、図２に示すように、上下から挟んで押し込むことによりロックを解除するようにすると、操作がし易く、かつ、ディスプレイアーム４をヘッドホーンハウジングに対して１８０°回転させて、使用する眼の左右を切り替えるようにした場合でも、ロック機構の操作を同じとすることができる。
【００２５】
さらに、ロック機構６は、ディスプレイアーム４の移動と共に移動可能となっているので、片手でロック機構の解除及びディスプレイアーム４の移動が可能となっている。そのため、利便性が向上する。
【００２６】
又、図１、図２に示したロック機構６を設けず、ディスプレイアーム４のディスプレイアーム支持部３に対する摺動が摩擦抵抗により制限されるようにしてもよい。これは、ディスプレイアーム４とディスプレイアーム支持部３との接触摺動面を、摩擦抵抗の大きい材料で構成することにより実現できる。
【００２７】
なお、本実施の形態のヘッドマウントディスプレイは、ヘッドホーンのヘッドホーンハウジングにディスプレイアーム支持部３を設けた構成であるが、本発明は、ヘッドホーンを装着部材としたものだけに限られず、例えばスピーカー等の音声出力部を有しない方式のヘッドマウントディスプレイにも適用が可能である。その際には、頭部装着部材として、装着時に頭部と接触する当接部の外界側に設けられた外装部に、上述のディスプレイアーム支持部３を設ける。なお、頭部と接触する当接部の外界側にある外装部にディスプレイアーム支持部３を設けることで、ヘッドマウントディスプレイ４に振動が与えられても、ディスプレイアーム４が支持されている部分が頭部と密着しているので、すぐに振動が収束するという効果を有する。
【図面の簡単な説明】
【００２８】
【図１】本発明の実施の形態の１例であるヘッドマウントディスプレイを装着した状態を示す図である。
【図２】ヘッドホーンハウジングとディスプレイアーム支持部とディスプレイアームとの相対関係を示す断面図である。
【図３】ディスプレイアーム支持部の拡大斜視図である。
【符号の説明】
【００２９】
１…ヘッドホーンハウジング、１ａ…ヘッドホーンドライバ、２…連結部、３…ディスプレイアーム支持部、３ａ…取付部、３ｂ…凸部、３ｃ…斜面部、４…ディスプレイアーム、４ａ…貫通孔、４ｂ…斜面部、４ｃ…接触部、５…表示部、６…ロック機構、７…スプリング、８…配線
【図１】
2007251510.tif 000003
【図２】
2007251510.tif 000004
【図３】
2007251510.tif 000005